【事件の表示】
　平成　６年特許願第３１４４５７号「ファクシミリ装置」拒絶査定に対する審判事件［平成　７年１０月２０日出願公開、特開平　７−２７３９４４］について、次のとおり審決する。
【結　論】
　本件審判の請求は、成り立たない。
【理　由】
１．手続の経緯・本願発明
　本願は、平成２年７月２７日に出願した特願平２−１９７９６６号の一部を平成６年１２月１９日に新たな特許出願としたものであって、その請求項１に係る発明は、平成１３年９月１０日付けの手続補正書により補正された明細書及び図面の記載からみて、本願の特許請求の範囲の請求項１に記載されたとおりの次のものと認める。
「【請求項１】
　ある副走査方向の読取間隔で１ライン毎にある読取時間で原稿を読み取るセンサ部と、
　前記原稿を照明するための半導体発光素子を有する照明部と、
　前記原稿若しくは前記センサ部を移動させる移動機構部と、
　前記センサ部で読み取られた原稿の画像データを記憶するメモリと、
　前記メモリ内の画像データの蓄積量に基づいて、前記移動機構部の移動速度を制御し、前記読取時間と前記副走査方向の読取間隔を制御する制御部と、
　前記読取時間と前記副走査方向の読取間隔に基づいて、前記１ライン内の前記照明部による照明時間を一定に制御するためのパルス信号を前記１ライン内に複数生成するパルス信号生成部と、
　前記パルス信号に基づいて前記半導体発光素子の照明光をＯＮ／ＯＦＦ制御する制御部とを有することを特徴とするファクシミリ装置。」
　
２．引用例 
（１）引用例
　これに対して、原審の拒絶理由に引用された、特開平２−２５１５９号公報（以下「引用例」という。）には、次の事項が記載されている。
（ア）「送られていく原稿面上のイメージ情報を、光電変換出力蓄積型ラインイメージセンサにより読み取るよう処理するイメージ情報読取装置に関し、
　原稿の送り速度が、ラインイメージセンサの光電変換値の蓄積時間に関係なく設定できるようにすることを目的とし」（引用例の１頁下右欄１１〜１６行）
（イ）「そして、ファクシミリ装置では、電話回線の占有時間の削減を図るために、伝送データの帯域圧縮が行われている。これから、原稿のイメージ情報の状態によって、次の１ラインの読み取りに直ちに入れるとか、多少の時間を要するとかいうように、原稿の送り速度を変化させる必要がでてくることになる。しかしながら、従来技術では、原稿の送り速度をラインイメージセンサの電荷蓄積時間に併せる必要があることから、無駄な待ち時間が生じてしまい、電話回線の占有時間の削減の実行が十分図れないという問題点もあったのである。」（引用例の２頁下右欄９〜１４行）
（ウ）「第１図は本発明の原理構成図である。
　図中、１０は原稿であって、読み取られることになるイメージ情報を有するもの、２０は光電変換値を蓄積して出力するタイプの光電変換出力蓄積型のラインイメージセンサであって、原稿１０のイメージ情報を１ラインずつ読み取るもの、３０は読取アンプであって、ラインイメージセンサ２０の光電変換出力を読み出すためのもの、４０は照明用光源であって、原稿面上のイメージ情報を照明するもの、５０は光源強度調整手段であって、照明用光源４０の光源強度を調整するもの、６０は原稿送り速度決定手段であって、原稿１０の送り速度を決定するもの、６１は送り制御装置であって、原稿送り速度決定手段６０により決定される送り速度に従って原稿１０の送りを制御するもの、７０は原稿送り装置であって、送り制御装置６１により制御される送り速度をもって、ラインイメージセンサ２０の走査方向と直交する方向に原稿１０を送るもの、８０は蓄積開始信号送出手段であって、送り制御装置６１の発する送り信号と同期してラインイメージセンサ２０に対して光電変換値の蓄積開始信号を繰り返し送出するもの、９０は光源強度決定手段であって、原稿１０の送り速度が与えられたときに、照明用光源４０の光源強度を決定するものである。」（引用例の３頁上左欄４行〜同頁上右欄９行）
（エ）「第２図に、ファクシミリ装置のセンサヘッドの一実施例である密着型イメージセンサの構造を示す。この図に示すように、密着型イメージセンサは、原稿１０の読取幅の長さに従って直線上に配列される微細な光電変換素子からなる光電変換素子アレイ２０ａと、この光電変換素子アレイ２０ａと同じ長さを持って平行に配列されて原稿１０を照明するＬＥＤアレイ４０ａと、原稿面上のイメージ情報を光電変換素子アレイ２０ａに結像すべく設けられている微小レンズアレイ２１とから構成される。そして、原稿１０は、図示しないステッピングモータにより光電変換素子アレイ２０ａの配列方向と直交する方向に送られ、光電変換素子アレイ２０ａが、この原稿１０の送りと同期して１ライン毎に原稿面の明暗情報を光電変換して行くことで、原稿面上のイメージ情報を読み取っていくよう処理するものである。」（引用例の３頁下左欄１０行〜同頁下右欄７行）
（オ）「例えば、光電変換素子アレイ２０ａとしてＣＣＤタイプのラインイメージセンサを用いるならば、所定の蓄積時間の間に蓄積された電荷が出力されることになる。
　・・・（中略）・・・
これから、同一反射率のイメージ情報を同一の明暗強度で読みとれるようにするためには、
　　　原稿面照度×蓄積時間
を一定の値に保持していく必要があるのである。」（引用例の３頁下右欄１１行〜４頁上左欄５行）
（カ）「第３図に、この密着型イメージセンサを駆動することになる本発明のファクシミリ装置のシステム構成を示す。
　本発明のイメージ情報読取装置を実装するファクシミリ装置は、従来のファクシミリ装置と同様に、装置全体を制御する主制御部１と、データ圧縮を実行する圧縮部２と、変復調を実行するモデム部３と、回線とのインターフェースとなる回線制御部４と、ステッピングモータ７１を制御して原稿１０の送り速度を制御する紙送り制御部５と、センサ駆動回路２１を介して光電変換素子アレイ２０ａを駆動するとともに、読取アンプ３０を介してこの駆動により蓄積された光電変換素子アレイ２０ａの光電変換出力値を読み取るよう処理する読取制御部６とを備えるとともに、新たに、この読取制御部６の指示に従って、ＬＥＤアレイ４０ａの発光強度を変調するための発光強度変調回路５０ａを備えるよう構成することになる。
　本発明の基本的な考え方は、ステッピングモータ７１の駆動タイミングを、従来のように光電変換素子アレイ２０ａの光電変換値の蓄積時間の自然数倍に合わせるのではなくて、主制御部１が求めた原稿１０の送り速度に従って、そのまま実行するように処理することにある。すなわち、圧縮部２が帯域圧縮を終了することで、主制御部１が次の１ライン分のイメージ情報データを遅れるようになったと判断するときに、直ちにステッピングモータ７１を歩進させて、原稿１０の次の１ラインのイメージ情報を光電変換素子アレイ２０ａ上にセットするのである。
　しかるに、このような処理方式をそのまま採用すると、上述した（１）式の蓄積時間Ｔがイメージ情報の状態によってその度毎に変化してしまうことになることから、同一の反射率のイメージ情報であっても、光電変換出力Ｑが変わってしまうことになるという不都合が生じてしまう。そこで、本発明では、原稿１０の送り速度が速いとき（すなわち、Ｔが短いとき）には原稿面照度を高く設定し、原稿１０の送り速度か遅いとき（すなわち、Ｔが長いとき）には原稿面照度を低く設定するというように、
　　　原稿面照度×蓄積時間　・・・・・・（２）式
が、原稿１０の送り速度に関係せずに常に一定となるように、ＬＥＤアレイ４０ａの発光強度を変化させるように処理するのである。
　新たに設けられる発光強度変調回路５０ａは、このＬＥＤアレイ４０ａの発光強度の変調処理を実行するものである。第４図に、この発光強度変調回路５０ａの一実施例を示す。この実施例は、点消灯時間のデューティ比を変化させることで、ＬＥＡアレイ４０ａの発光強度を変化させるものを示してある。
　この図に示す発光強度変調回路５０ａでは、フリップフロップ５０１が、ＬＥＤアレイ４０ａの点消灯を制御するトランジスタ５０２のＯＮ／ＯＦＦを制御することになる。このフリップフロッツプ５０１は、発信器５０３のクロックを計数する第１のカウンタ５０４が発生するキャリィー信号でトランジスタ５０２をＯＮするとともに、第２のカウンタ５０５が発生するキャリィー信号でトランジスタ５０２をＯＦＦするよう処理する。この第２のカウンタ５０５のキャリィー信号は、変換テーブル格納手段５０６から設定された値を初期値にして発信器５０３のクロックを計数していくことで発生するものである。変換テーブル格納手段５０６には、上述の（２）式の関係を充足する、原稿送り速度と点消灯時間のデューティ比との間の変換テーブルが格納されることになる。」（引用例の４頁上左欄７行〜同頁下右欄１４行）
（キ）「このように、本発明によれば、原稿の送り速度をラインイメージセンサの蓄積時間に合わせる必要がなくなることから、読み取られるイメージ情報の画質が、原稿の送りの実行タイミングに関係せずに良好なものとなる。そして、原稿の送り速度を任意なものに設定できることから、共振特性に起因するステッピングモータの大きな騒音発生を避けることができる。」（引用例の５頁下右欄９〜１６行）
と記載されているから、
これらの記載より引用例１には次のことが記載されている。
「原稿１０のイメージ情報を１ラインずつ読み取る、光電変換値を蓄積して出力するタイプの光電変換出力蓄積型のラインイメージセンサ２０と、原稿面上のイメージ情報を照明するＬＥＤアレイ４０ａ等の照明用光源４０とを備え、ラインイメージセンサ２０の走査方向と直交する方向に送られていく原稿１０の原稿面上のイメージ情報をこの照明用光源４０で照明するとともに、この照明された原稿上のイメージ情報を上記ラインイメージセンサ２０で読み取るように処理するイメージ情報読取装置において、原稿１０の送り速度が与えられたときに、上記照明用光源４０の光源強度を決定する光源強度決定手段９０と、上記照明用光源４０の光源強度をこの光源強度決定手段９０により決定された光源の強度に、点消灯時間のデューティ比を変化させることで調整する光源強度調整手段５０と、原稿１０の送り速度を決定する原稿送り速度決定手段６０と、原稿送り速度決定手段６０により決定される送り速度に従って原稿１０の送りを制御する送り制御装置６１と、送り制御装置６１により制御される送り速度をもって、ラインイメージセンサ２０の走査方向と直交する方向に原稿１０を送る原稿送り装置７０と、送り制御装置６１の発する送り信号と同期してラインイメージセンサ２０に対して光電変換値の蓄積開始信号を繰り返し送出する蓄積開始信号送出手段８０とを備え、上記光源強度決定手段９０は、この蓄積開始信号の間で蓄積される同一反射面に対しての上記ラインイメージセンサ２０の光電変換値が、原稿１０の送り速度に関係せず一定となるように、上記照明光源４０の光源強度を決定することを特徴とするイメージ情報読取装置を実装したファクシミリ装置において、
　装置全体を制御する主制御部１と、データ圧縮を実行する圧縮部２と、変復調を実行するモデム部３と、回線とのインターフェースとなる回線制御部４と、ステッピングモータ７１を制御して原稿１０の送り速度を制御する紙送り制御部５と、センサ駆動回路２１を介して光電変換素子アレイ２０ａを駆動するとともに、読取アンプ３０を介してこの駆動により蓄積された光電変換素子アレイ２０ａの光電変換出力値を読み取るよう処理する読取制御部６とを備えるとともに、この読取制御部６の指示に従って、ＬＥＤアレイ４０ａの発光強度を変調するための発光強度変調回路５０ａを備え、
発光強度変調回路５０ａでは、フリップフロップ５０１が、ＬＥＤアレイ４０ａの点消灯を制御するトランジスタ５０２のＯＮ／ＯＦＦを制御し、
該フリップフロッツプ５０１は、発信器５０３のクロックを計数する第１のカウンタ５０４が発生するキャリィー信号でトランジスタ５０２をＯＮするとともに、第２のカウンタ５０５が発生するキャリィー信号でトランジスタ５０２をＯＦＦするよう処理し、
該第２のカウンタ５０５のキャリィー信号は、変換テーブル格納手段５０６から設定された値を初期値にして発信器５０３のクロックを計数していくことで発生し、
変換テーブル格納手段５０６には、原稿面照度×蓄積時間が、原稿１０の送り速度に関係せずに常に一定となる関係を充足する、原稿送り速度と点消灯時間のデューティ比との間の変換テーブルが格納されており、
　このようにすることにより、原稿１０の送り速度が速いとき（すなわち、Ｔが短いとき）には原稿面照度を高く設定し、原稿１０の送り速度か遅いとき（すなわち、Ｔが長いとき）には原稿面照度を低く設定でき、原稿１０の送り速度を光電変換素子アレイ２０ａの蓄積時間に全く関係なく設定できるようにしたことを特徴とするファクシミリ装置。」
　
３．対比
　そこで、本願請求項１に係る発明と引用例１の発明とを比較すると、
　引用例の「ラインイメージセンサ」、「照明用光源」、「原稿送り速度決定手段、送り制御装置、原稿送り装置」は本願請求項１に係る発明の「センサ部」、「照明部」、「移動機構部」にそれぞれ相当すると認められ、
　引用例には、センサ部が、１ライン毎にある読取時間で原稿を読み取るとは明記されていないが、所定の蓄積時間とか、蓄積時間が変化することが記載されているから、センサ部が１ライン毎にある読取時間で原稿を読み取るものであると認められ、  
　また、引用例には、センサ部で読み取られた原稿の画像データを記憶するメモリの記載がないが、当然メモリは備えられているものであり、
　さらに、引用例では、発光強度変調回路５０ａにおいて、フリップフロップ５０１が、ＬＥＤアレイ４０ａの点消灯を制御するトランジスタ５０２のＯＮ／ＯＦＦを制御しているから、これらのものは下記の相違点を除いて本願請求項１に係る発明の「パルス信号発生部」と「制御部」とに相当するものと認められるから、
　両者は、
「ある副走査方向の読取間隔で１ライン毎にある読取時間で原稿を読み取るセンサ部と、
　前記原稿を照明するための半導体発光素子を有する照明部と、
　前記原稿若しくは前記センサ部を移動させる移動機構部と、
　前記センサ部で読み取られた原稿の画像データを記憶するメモリと、
　副走査方向の読取間隔に基づいて、照明時間を制御するパルス信号を前記１ライン内に複数生成するパルス信号生成部と、
　前記パルス信号に基づいて前記半導体発光素子の照明光をＯＮ／ＯＦＦ制御する制御部とを有することを特徴とするファクシミリ装置。」
で一致し、下記の点において相違する。
（相違点１）
　本願請求項１に係る発明のものは、メモリ内の画像データの蓄積量に基づいて、前記移動機構部の移動速度を制御し、前記読取時間と前記副走査方向の読取間隔を制御する制御部とを備えているのに対して、引用例のものには、そのような制御部についても記載されていない点。
（相違点２）
　照明時間を制御するパルス信号が、本願請求項１に係る発明のものは、読取時間と副走査方向の読取間隔に基づいて、１ライン内の照明部による照明時間を一定に制御するためのパルス信号であるのに対して、引用例のものは、原稿面照度×蓄積時間が、原稿の送り速度に関係せずに常に一定となる関係を充足する、デューティ比である点。
　
４．当審の判断
 上記相違点について検討すると、
（相違点１）について、
　一般的に、メモリの記憶量には限界があることは当然のことであるから、メモリにデータを記憶するときに、メモリの蓄積量に合わせて、データの記憶を調節することは通常行われていることであり、ファクシミリ装置においても、メモリの蓄積量に基づいて、副走査方向の速度を制御することは周知のことである（特開昭６０−１９７０６６号公報、特開昭５３−４１９２０号公報等を参照。）。このように、ファクシミリ装置において、メモリの蓄積量に基づいて、副走査方向の速度を制御することは周知のことであり、副走査方向の速度に応じて適切な照明を行うことが、引用例のものにおいて公知であるから、メモリの蓄積量に基づいて、副走査方向の速度を制御する場合に、適切な照明をするために、副走査方向の速度に基づいて照明を適切なものとするようにすることは当業者が容易に考えられることである。
　
（相違点２）について、
　引用例のものも、原稿１０の送り速度が速いとき（すなわち、蓄積時間Ｔが短いとき）には原稿面照度を高く設定し、原稿１０の送り速度か遅いとき（すなわち、蓄積時間Ｔが長いとき）には原稿面照度を低く設定するというように、原稿面照度×蓄積時間が、原稿１０の送り速度に関係せずに常に一定となるように、ＬＥＤアレイ４０ａの発光強度を変化させるようにデューティ比を変化させるのであるから、本願請求項１に係る発明のように、原稿と読取手段との相対速度に基づいて、原稿の読み取り対象となる部分を照射する照明光の光量を制御するために、読取時間と副走査方向の読取間隔に基づいて、１ライン内の照明部による照明時間を一定に制御するためのパルス信号とすることは、当業者が容易に考えられることである。
　
５．むすび
　したがって、本願請求項１に係る発明は引用例に記載された発明に基づいて当業者が容易に発明をすることができたものであるので、特許法第２９条第２項の規定により特許を受けることができない。
　よって、結論のとおり審決する。